(57)【特許請求の範囲】
【請求項１】
テレビジョン放送の受信および選局を行うテレビジョン信号受信手段と、
該テレビジョン信号受信手段によって受信した映像を表示する表示手段と、
該テレビジョン信号受信手段によって受信した音声を出力する音声出力手段と、
データ放送として送信される電子番組表データを取得するデータ放送受信手段およびネットワークを介して電子番組表データを取得する通信手段のうちの少なくとも一方と、
各種データを保存する記憶手段と、
該テレビジョン信号受信手段の出力信号レベルを検出する信号レベル検出手段と、
該テレビジョン信号受信手段を制御して所望のチャンネルを選択し、受信した映像を該表示手段に出力させると共に受信した音声を該音声出力手段に出力させるテレビジョン制御手段と、
操作者が入力操作を行うための入力手段と、
全体を制御する制御手段とを有し、
該記憶手段は、複数のエリア名と各エリア毎に分けられた放送局名およびチャンネル番号とのデータテーブルであるエリア別チャンネル設定データを記憶し、
該制御手段は、該エリア別チャンネル設定データから選択された、受信エリアに対応するチャンネル設定データに、該信号レベル検出手段により検出した各チャンネル毎の受信状態に基づいて、各チャンネルの受信可否を示す受信状態識別情報を付与し、該表示手段に該電子番組表データを表示する際に、該受信状態識別情報が付与されたチャンネル設定データに基づいて、受信可能なチャンネルと受信不能なチャンネルとを区別して表示させる機能を備えていることを特徴とするテレビジョン放送受信機能を有する情報処理装置。
【請求項２】
前記テレビジョン信号受信手段によって受信した映像を録画および再生するための録画／再生手段を有し、
該表示手段に表示させた電子番組表データから、前記入力手段を用いて操作者が録画したい番組を選択することにより録画指示を行ったときに、
選択されたチャンネルが受信可能であるか受信不能であるかを判別可能なように操作者に通知する機能を備えていることを特徴とする請求項１に記載のテレビジョン放送受信機能を有する情報処理装置。
【請求項３】
操作者が録画したい番組のチャンネル、録画開始日時および録画終了日時を指定して録画指示を行ったときに、
録画指示されたチャンネルが受信可能であるか受信不能であるかを判別可能なように操作者に通知する機能を備えていることを特徴とする請求項２に記載のテレビジョン放送受信機能を有する情報処理装置。
【請求項４】
請求項１乃至請求項３のいずれかに記載のテレビジョン放送受信機能を有する情報処理装置において、録画指定を行う方法であって、
操作者がテレビジョン放送受信エリアを選択するステップと、
前記記憶手段に格納されたエリア別チャンネル設定データから、選択されたエリアにおける各チャンネルの受信状態を前記信号レベル検出手段によって調べ、放送局名とチャンネル番号と受信状態とのデータテーブルである、前記各チャネルの受信可否を示す受信状態識別情報が付与されたチャンネル設定データを作成して該記憶手段に格納するステップと、
前記データ放送受信手段または前記通信手段により電子番組表データを取得して該記憶手段に格納するステップと、
取得された電子番組表データを設定されたチャンネル毎に前記表示手段に表示して前記入力手段を用いて操作者が録画したい番組を選択するか、または操作者が録画したい番組のチャンネル、録画開始日時および録画終了日時を指定して録画設定を行うステップと、
録画設定された内容とチャンネル設定データを比較して、録画設定されたチャンネルが受信可能であるか受信不能であるかを判別可能なように操作者に通知するステップとを含むテレビジョン放送受信機能を有する情報処理装置の録画指定方法。
【請求項５】
請求項１乃至請求項３のいずれかに記載のテレビジョン放送受信機能を有する情報処理装置において、電子番組表データ表示を行う方法であって、
操作者がテレビジョン放送受信エリアを選択するステップと、
前記記憶手段に格納されたエリア別チャンネル設定データから、選択されたエリアにおける各チャンネルの受信状態を前記信号レベル検出手段によって調べ、放送局名とチャンネル番号と受信状態とのデータテーブルである、前記各チャネルの受信可否を示す受信状態識別情報が付与されたチャンネル設定データを作成して該記憶手段に格納するステップと、
前記データ放送受信手段または前記通信手段により電子番組表データを取得して該記憶手段に格納するステップと、
前記チャンネル設定データと前記電子番組表データとを比較して、受信可能なチャンネルと受信不能なチャンネルとを区別して該電子番組表データを該表示手段に表示させるステップとを含むテレビジョン放送受信機能を有する情報処理装置の電子番組表データ表示方法。
【請求項６】
請求項４に記載のテレビジョン放送受信機能を有する情報処理装置の録画指定方法および請求項５に記載のテレビジョン放送受信機能を有する情報処理装置の電子番組表データ表示方法を実現するプログラムを記憶した記憶媒体。
【発明の詳細な説明】
【０００１】
【発明の属する技術分野】
本発明は、テレビジョン放送受信機能を有する情報処理装置に関し、特に、電子番組表データ（Ｅｌｅｃｔｒｏｎｉｃ  Ｐｒｏｇｒａｍ  Ｇｕｉｄｅ：以下、ＥＰＧと称する）を用いてＥＰＧデータ表示および録画指定を行うことが可能なパーソナルコンピュータ等の情報処理装置とそのＥＰＧデータ表示方法および録画指定方法並びにその方法を実現するプログラムを記憶したコンピュータ読み取り可能な記憶媒体に関する。
【０００２】
【従来の技術】
テレビジョン放送等において、各番組の放送スケジュールは予め決められている。近年では、その放送スケジュールがＥＰＧデータという形で、各種電子媒体等によって配信されている。ＥＰＧデータは、例えばデータ放送として送信されており、送信されたＥＰＧデータは、データ放送受信手段によって取得される。
また、ＥＰＧデータは、通信手段によりネットワークを介して送信されている。
【０００３】
放送局では、放送スケジュールに基づいて番組を放送するため、通常、視聴者は所望の番組を放送スケジュールに合わせて視聴する。あるいは、タイマー録画機能を有するＶＴＲを使用する場合には、チャンネル番号、放送開始日時および放送終了日時を指定することによって、放送スケジュールに合わせて放送される所望の番組を受信して、録画することが可能である。
【０００４】
さらに、上記ＥＰＧデータの利用方法として、ＥＰＧデータにおける各番組をアイコンボタンに対応付けて画面上に表示し、表示されたアイコンボタンを、ＧＵＩ（Ｇｒａｐｈｙｃａｌ  Ｕｓｅｒ  Ｉｎｔｅｒｆａｃｅ）による簡単な操作によって選択することにより、選択された番組の録画予約を行う方法も知られている。
【０００５】
【発明が解決しようとする課題】
テレビジョン放送受信可能なパーソナルコンピュータ等の情報処理装置においては、予め作成されたエリア別チャンネル設定データを二次記憶手段に格納しておけば、これを基に受信エリアを選択するだけで、希望する放送エリアにおける放送局の情報を取得して、受信チャンネルを設定することが可能である。
【０００６】
ここで、予め二次記憶手段に保持されているエリア別チャンネル設定データは、そのエリア内で受信可能な放送局およびチャンネル情報が全て包含されていると考えられる。しかし、実際にはテレビジョン電波中継局と受信装置との位置関係等の地理的な要因や、様々な電波受信環境の制約を受けるため、全てのチャンネルの電波を受信できるとは限らない。
【０００７】
そこで、受信可能なチャンネルのみを抽出する様々なオートプリセット方法が提案されて実用化されている。
【０００８】
一方、データ放送を受信して取得したＥＰＧデータ、またはネットワークから取得したＥＰＧデータについても、放送エリア別に作成されているため、エリア内の全放送局に対するＥＰＧデータが含まれていることが一般的である。しかし、これについても、取得したＥＰＧデータに含まれている全ての放送局を受信できるとは限らない。
【０００９】
また、テレビジョン受信機能を有する情報処理装置においては、データ放送から取得されるＥＰＧデータが、表示画面に表示される。この場合、取得されたＥＰＧデータの全てが表示画面に表示されるために、実際には受信不能な放送局の番組データも表示されるという問題がある。
【００１０】
さらに、このような情報処理装置においては、チャンネル毎の受信状態とＥＰＧデータとが互いにリンクしていないために、ＥＰＧデータを利用した録画指定の際に、実際には受信不能なチャンネルの番組についても録画予約の設定が可能となる。このような場合には、誤って受信不能なチャンネルを録画してしまうおそれがある。また、チャンネル番号、放送開始日時および放送終了日時を指定することによって、所望の番組を録画する場合もあるが、このような場合にも受信不能なチャンネルを録画してしまうおそれがある。
【００１１】
本発明は、このような従来技術の課題を解決するためになされたものであり、受信可能なチャンネルと受信不能なチャンネルとを区別してＥＰＧデータを表示することができ、さらに、受信不能なチャンネルの録画指定が行われないようにすることが可能なテレビジョン放送受信機能を有する情報処理装置とその電子番組表データ表示方法および録画指定方法並びにその方法を実現するプログラムを記憶した記憶媒体を提供することを目的とする。
【００１２】
【課題を解決するための手段】
本発明のテレビジョン放送受信機能を有する情報処理装置は、テレビジョン放送の受信および選局を行うテレビジョン信号受信手段と、該テレビジョン信号受信手段によって受信した映像を表示する表示手段と、該テレビジョン信号受信手段によって受信した音声を出力する音声出力手段と、データ放送として送信される電子番組表データを取得するデータ放送受信手段およびネットワークを介して電子番組表データを取得する通信手段のうちの少なくとも一方と、各種データを保存する記憶手段と、該テレビジョン信号受信手段の出力信号レベルを検出する信号レベル検出手段と、該テレビジョン信号受信手段を制御して所望のチャンネルを選択し、受信した映像を該表示手段に出力させると共に受信した音声を該音声出力手段に出力させるテレビジョン制御手段と、操作者が入力操作を行うための入力手段と、全体を制御する制御手段とを有し、該記憶手段は、複数のエリア名と各エリア毎に分けられた放送局名およびチャンネル番号とのデータテーブルであるエリア別チャンネル設定データを記憶し、該制御手段は、該エリア別チャンネル設定データから選択された、受信エリアに対応するチャンネル設定データに、該信号レベル検出手段により検出した各チャンネル毎の受信状態に基づいて、各チャンネルの受信可否を示す受信状態識別情報を付与し、該表示手段に該電子番組表データを表示する際に、該受信状態識別情報が付与されたエリア別チャンネル設定データに基づいて、受信可能なチャンネルと受信不能なチャンネルとを区別して表示させる機能を備えており、そのことにより上記目的が達成される。
【００１３】
前記テレビジョン信号受信手段によって受信した映像を録画および再生するための録画／再生手段を有し、該表示手段に表示させた電子番組表データから、前記入力手段を用いて操作者が録画したい番組を選択することにより録画指示を行ったときに、選択されたチャンネルが受信可能であるか受信不能であるかを判別可能なように操作者に通知する機能を備えていてもよい。
【００１４】
操作者が録画したい番組のチャンネル、録画開始日時および録画終了日時を指定して録画指示を行ったときに、録画指示されたチャンネルが受信可能であるか受信不能であるかを判別可能なように操作者に通知する機能を備えていてもよい。
【００１５】
本発明のテレビジョン放送受信機能を有する情報処理装置の録画指定方法は、操作者がテレビジョン放送受信エリアを選択するステップと、前記記憶手段に格納されたエリア別チャンネル設定データから、選択されたエリアにおける各チャンネルの受信状態を前記信号レベル検出手段によって調べ、放送局名とチャンネル番号と受信状態とのデータテーブルである、前記各チャネルの受信可否を示す受信状態識別情報が付与されたチャンネル設定データを作成して該記憶手段に格納するステップと、前記データ放送受信手段または前記通信手段により電子番組表データを取得して該記憶手段に格納するステップと、取得された電子番組表データを設定されたチャンネル毎に前記表示手段に表示して前記入力手段を用いて操作者が録画したい番組を選択するか、または操作者が録画したい番組のチャンネル、録画開始日時および録画終了日時を指定して録画設定を行うステップと、録画設定された内容とチャンネル設定データを比較して、録画設定されたチャンネルが受信可能であるか受信不能であるかを判別可能なように操作者に通知するステップとを含み、そのことにより上記目的が達成される。
【００１６】
本発明のテレビジョン放送受信機能を有する情報処理装置の電子番組表データ表示方法は、操作者がテレビジョン放送受信エリアを選択するステップと、前記記憶手段に格納されたエリア別チャンネル設定データから、選択されたエリアにおける各チャンネルの受信状態を前記信号レベル検出手段によって調べ、放送局名とチャンネル番号と受信状態とのデータテーブルである、前記各チャネルの受信可否を示す受信状態識別情報が付与されたチャンネル設定データを作成して該記憶手段に格納するステップと、前記データ放送受信手段または前記通信手段により電子番組表データを取得して該記憶手段に格納するステップと、前記チャンネル設定データと前記電子番組表データとを比較して、受信可能なチャンネルと受信不能なチャンネルとを区別して該電子番組表データを該表示手段に表示させるステップとを含み、そのことにより上記目的が達成される。
【００１７】
本発明の記憶媒体は、本発明のテレビジョン放送受信機能を有する情報処理装置の録画指定方法および本発明のテレビジョン放送受信機能を有する情報処理装置の電子番組表データ表示方法を実現するプログラムを記憶しており、そのことにより上記目的が達成される。
【００１８】
以下に、本発明の作用について説明する。
【００１９】
本発明の情報処理装置にあっては、操作者が入力手段からチャンネルプリセットを指示すると、表示手段に放送エリアを限定するために必要な情報を表示して、操作者にテレビジョン放送を受信するエリアを選択させる。そして、予め二次記憶手段に格納してあるエリア別チャンネル設定データから、選択されたエリアに対応した放送局のチャンネル情報を読み出した後、読み出されたデータの先頭から順次チャンネル情報を取り出してテレビジョン信号受信手段による選局と、信号レベル検出手段による有意信号の識別とを、選択されたエリアの全放送チャンネル分行う。これにより、受信可能なチャンネルであるか受信不能なチャンネルであるかという情報を得ることが可能である。
【００２０】
さらに、操作者が入力手段からＥＰＧデータ表示画面を表示するように指示すると、データ放送受信手段または通信手段により取得され、二次記憶手段に更新記憶されたＥＰＧデータを、上記チャンネルプリセットにより得られたチャンネル設定データと共に二次記憶手段から読み出して、両者の比較照合を行う。そして、有意信号の受信が確認されなかったチャンネルについては、表示手段へのＥＰＧデータ表示時に、そのチャンネルの番組表示に対して、例えばマスク表示を行う等により受信不能チャンネルであることを明示することが可能である。
【００２１】
さらに、操作者の操作によりＥＰＧ表示画面から番組録画指定モードに入ると、表示手段に表示された任意の番組に対応付けられたアイコンボタンを指定することにより、録画チャンネル、録画開始日時および録画終了日時等の録画に必要な諸情報を、上記チャンネルプリセット処理により得られたチャンネル設定データと共に二次記憶手段から読み出して、両者の比較照合を行う。そして、録画設定されたチャンネルが受信可能である場合には録画可能であることを操作者に通知し、受信不能である場合には録画不可であることを操作者に通知することが可能である。
【００２２】
または、操作者の操作により番組録画指定モードに入り、録画チャンネル、録画開始日時および録画終了日時等の録画に必要な諸情報を操作者が直接指定すると、上記チャンネルプリセット処理により得られたチャンネル設定データを二次記憶手段から読み出して、両者の比較照合を行う。そして、録画指示されたチャンネルが受信可能である場合には録画可能であることを操作者に通知し、受信不能である場合には録画不可であることを操作者に通知することが可能である。
【００２３】
【発明の実施の形態】
以下に、本発明の実施の形態について、図面に基づいて説明を行う。
【００２４】
（実施形態１）
図１は、本発明の一実施形態であるテレビジョン受信機能を有する情報処理装置の構成を説明するためのブロック図である。
【００２５】
この情報処理装置１−２０は、テレビジョン信号受信手段１−１によりテレビジョン放送の受信および選局が行われる。テレビジョン信号受信手段１−１は、テレビジョン制御手段１−３の制御により放送局を選局して受信できるように構成されており、受信した番組はテレビジョン制御手段１−３を介して音声出力手段１−６と表示手段１−７と録画／再生手段１−４とに出力される。
【００２６】
テレビジョン信号受信手段１−１にはデータ放送受信手段１−２が接続されており、データ放送として送信されてテレビジョン信号受信手段１−１により受信されたＥＰＧデータが、データ放送受信手段１−２に出力される。ＥＰＧデータは、通信手段１−１７により、外部からネットワークを経由して取得することもできる。
【００２７】
テレビジョン信号受信手段１−１には、さらに、受信した信号のレベルを検出して受信可能な信号であるか否かを判定する信号レベル検出手段１−５が接続されている。
【００２８】
さらに、この情報処理装置１−２０は、ＥＰＧデータ表示方法および録画指定方法を実現するためのプログラム等を格納した外部記憶媒体１−２１からプログラムを読み込むための外部記憶媒体読み取り手段１−１８を有している。読み込まれたプログラムは、後述する二次記憶手段１−１０に記憶される。そして、制御手段１−１９により、情報処理装置２０を構成する各部の動作を制御して、外部記憶媒体１−２１から読み取ったプログラムにより後述するフローチャートに基づいた処理を行うように構成されている。
【００２９】
制御手段１−１９には、さらに、一時的に各種データを記憶する一次記憶手段１−９と、プログラムおよび各種データを保存する二次記憶手段１−１０と、日付データを読み出すためのカレンダー時計１−１６とが接続されている。上記テレビジョン信号受信手段１−１〜制御手段１−１９は、情報処理装置１−２０に収容されている。
【００３０】
上記二次記憶手段１−１０には、エリア別に分けられた放送局名とチャンネル番号のデータテーブルであるエリア別チャンネル設定データ１−１１と、受信したＥＰＧデータを基に作成されるＥＰＧデータベース１−１２と、所定の番組を録画するために使用するチャンネルおよび録画開始／終了時間を含む録画予約データ１−１３と、録画保存された録画データ１−１４と、プリセットされたチャンネル情報を記憶したチャンネル設定データ１−１５とが格納されている。
【００３１】
図２は、本実施形態において二次記憶手段１−１０に格納されたエリア別チャンネル設定データ１−１１の構成例を示す図である。このエリア別チャンネル設定データ１−１１は、受信エリア毎に分類されており、各受信エリア毎に受信可能なチャンネル番号と放送局名の初期データがエリア毎の慣習に準じた順序で格納されている。なお、各エリアには未使用となっているチャンネルがあり、これらの未使用チャンネルについては「未設定」というデータが初期値として格納され、放送局名には「設定なし」というデータが格納されている。
【００３２】
図３は、本実施形態において二次記憶手段１−１０に格納されたチャンネル設定データ１−１５の構成例を示す図である。このチャンネル設定データ１−１５は、受信可能な放送局からの放送の受信状態に関するデータであり、操作者によって受信エリアが選択されたときに各放送局毎に作成され、選択された受信エリアの情報がエリア別チャンネル設定データ１−１１から取り出されて、信号レベル検出手段１−５により得られた各チャンネル毎の受信状態と共に格納されている。ここでは、受信エリアとして「奈良−奈良」というデータが選択された例を示しており、エリア別チャンネル設定データ１−１１から取り出したチャンネル番号と放送局名、および信号レベル検出手段により得られた受信状態が格納されている。
【００３３】
図４は、本実施形態において二次記憶手段１−１０に格納されたＥＰＧデータベース１−１２の構成例を示す図である。このＥＰＧデータベース１−１２は、データ放送として受信したＥＰＧデータ、または通信手段を介してネットワークから入手したＥＰＧデータに基づいて、表示またはデータ検索等を容易に行えるように構築されたものである。ここでは、放送日および放送局名毎に、放送開始／終了時刻、番組名、ジャンルおよび番組情報等が格納されている。
【００３４】
図５は、本実施形態において二次記憶手段１−１０に格納された録画予約データ１−１３の構成例を示す図である。この録画予約データ１−１３は、操作者により録画予約が行われたときに設定され、録画指定されたチャンネル番号、録画開始／終了日時、番組名と、その番組に関する各種情報（ここでは「趣味・暮らし」、「音楽」等のジャンルと「ステレオ放送」、「音声多重放送」、「文字放送」などの番組情報）が格納されている。
【００３５】
図１に示した情報処理装置において、テレビジョン信号受信手段１−１を通じて入力されたテレビジョン放送信号は、テレビジョン制御手段１−３の制御によって放送局が選局され、目的とするチャンネルが受信される。
【００３６】
ところで、テレビジョン信号受信手段１−１で受信されるテレビジョン放送信号は、放送エリア毎に放送局や放送チャンネルが異なっている。このため、図２に示したような受信エリア毎に放送局名とチャンネル番号とをリストアップして作成したエリア別チャンネル設定データを用いて、受信エリアを選択することにより、希望する放送エリアにおける放送局の情報を取得して受信チャンネルを設定するチャンネルプリセットが行われる。
【００３７】
しかしながら、受信エリア内であっても、テレビジョン電波中継局と情報処理装置との位置関係等の地理的な要因や、様々な電波受信環境等により、全てのチャンネルの電波を受信できるとは限らない。このため、実際には受信状況に応じた受信チャンネルを設定する必要がある。
【００３８】
同様に、データ放送やネットワークを介して配信および公開されているＥＰＧデータは、放送エリア別に作成されているものが一般的であるが、上述した理由と同様に、ＥＰＧデータとして得られた全てのチャンネルの番組を視聴できるとは限らない。このように、受信できないチャンネルのＥＰＧデータを表示することは、視聴者にとっては好ましいものでない。
【００３９】
そこで、本実施形態では、受信可能なチャンネルと受信不能なチャンネルのＥＰＧデータを区別して表示する。
【００４０】
以下に、本実施形態の情報処理装置における各部の動作について、図６〜図８のフローチャートを用いて詳細に説明する。なお、以下の各処理は、外部記憶媒体１−２１から読み出されて二次記憶手段１−１０にインストールされたプログラムに従って、制御手段１−１９により各部を制御して行われる。
【００４１】
まず、受信チャンネルの設定処理について説明する。図１０（ａ）に示すような受信エリア選択画面を表示したチャンネル設定画面において、操作者の操作により受信エリア「奈良−奈良」１０−１というデータが選択されると（図６のステップＳ１−１）、二次記憶手段１−１０に格納された図２に示すエリア別チャンネル設定データ１−１１から、受信エリア「奈良−奈良」に対応したデータ２−１を選択して読み出し（図６のステップＳ１−２）、図１０（ｂ）に示すようなチャンネル一覧（受信エリア別リスト）を表示する（図６のステップＳ１−３）。
【００４２】
そして、表示された放送局を各受信チャンネルとして確定する場合には、図６のステップＳ１−５に進み、受信エリアを変更して再設定する場合には、図６のステップＳ１−４からステップＳ１−１に戻る。
【００４３】
図６のステップＳ１−５では、ステップＳ１−４で確定された受信エリアの放送局データを抽出した、図３に示すようなチャンネル設定データ１−１５をメモリ１−９上に作成する。このとき、チャンネル設定データ１−１５の先頭から順次チャンネル番号の情報を取り出し、受信信号レベルを検出してそのチャンネルが受信可能であるか否かを判断する。
【００４４】
本実施形態では、まず、図３のチャンネル設定データ中、データ３−１を先頭データとして取り出す（図６のステップＳ１−６）。このデータ３−１のチャンネル番号は「未設定」となっているので、このようなデータの場合には、受信状態のチェックを行わず、図６のステップＳ１−７からステップＳ１−１０に進み、受信状態の確認結果として図３のチャンネル設定データに「未設定」３−２というデータをセットする。
【００４５】
続くデータがある場合には、図６のステップＳ１−１１からステップＳ１−６に戻り、図３のチャンネル設定データ中、次のデータ３−３を取り出す。このデータ３−３のチャンネル番号としては「２」が格納されているので、図６のステップＳ１−７からステップＳ１−８に進む。
【００４６】
次に、制御部１−１９は、テレビジョン制御手段１−３を介してテレビジョン信号受信手段１−１の受信設定チャンネルを上記チャンネル番号「２」の周波数に変更し（図６のステップＳ１−８）、信号レベル検出手段１−５により受信信号レベルを検出する（図６のステップＳ１−９）。ここで、映像信号が良好に受信されている場合には、受信状態の確認結果として図３のチャンネル設定データに「受信ＯＫ」３−４というデータをセットする。
【００４７】
同様に処理を進めて、図３のチャンネル設定データ中、データ３−５で示すチャンネルに対して、図６のステップＳ１−９の受信信号レベル検出を行った結果、受信状態が不良であった場合には、受信状態の確認結果として図３のチャンネル設定データに「受信ＮＧ」３−６というデータをセットする。
【００４８】
図６のステップＳ１−６からステップＳ１−１１までの処理を図３のチャンネル設定データ中、最後のデータ３−７まで繰り返した後、プリセット結果を表示する（図６のステップＳ１−１２）。そして、操作者により入力手段１−８から確認操作が入力された後（図６のステップＳ１−１３）、上述の処理により作成された図３のチャンネル設定データを二次記憶手段１−１０にチャンネル設定データ１−１５として保存して（図６のステップＳ１−１４）、チャンネルプリセットの処理を終了する。なお、ステップＳ１−１３において、プリセット結果を操作者が任意に修正できるようにすることも可能である。
【００４９】
以上の処理により、受信可能なチャンネルであるか受信不能なチャンネルであるかという情報を得ることができる。
【００５０】
次に、ＥＰＧデータベースの作成処理について説明する。ＥＰＧデータの取得方法としては、データ放送受信手段１−２によりデータ放送を受信する方法や、通信手段１−１６を介してネットワークからデータを入手する方法等が考えられる。本実施形態では、データ放送を受信する場合について説明するものとする。
【００５１】
ＥＰＧデータがデータ放送として放送される時刻になると、制御手段１−１９は図７のステップＳ２−１からステップＳ２−５の処理を実行する。本実施形態では、制御手段１−１９は、まず、テレビジョン制御手段１−３を介してテレビジョン信号受信手段１−１の受信設定チャンネルをＥＰＧデータを受信するためのチャンネルに変更し（図７のステップＳ２−１）、ＥＰＧデータの受信を開始する（図７のステップＳ２−２）。
【００５２】
ＥＰＧデータの受信が終了すると、受信チャンネルをＥＰＧデータ受信前の状態に戻し（図７のステップＳ２−３）、ＥＰＧデータ表示および録画予約指定に適した形式に変換した図４に示すようなＥＰＧデータベースを作成した（図７のステップＳ２−４）後、二次記憶手段１−１０にＥＰＧデータベース１−１２として保存する。
【００５３】
次に、ＥＰＧデータ表示処理について説明する。ＥＰＧデータ表示画面は、上述の処理で作成したチャンネル設定データ１−１５およびＥＰＧデータベース１−１２を基にして、表示データが構築される。
【００５４】
まず、チャンネル設定が行われているか否かをチェックし（図８のステップＳ３−１）、未設定であれば図６のステップＳ１−１〜ステップＳ１−１４によりチャンネル設定を行う（図８のステップＳ３−２）。
【００５５】
次に、表示するためのＥＰＧデータが取得済みであるか否かをチェックする（図８のステップＳ３−３）。これは、二次記憶手段１−１０にＥＰＧデータベース１−１２が格納されているか否かによって確認することが可能である。ここで、表示すべきＥＰＧデータが未取得であった場合には、ＥＰＧ未取得であることを表示し（図８のステップＳ３−１２）、ＥＰＧ表示処理を終了する。
【００５６】
ＥＰＧデータが取得済みである場合、そのＥＰＧデータが表示有効期限を過ぎていないことをチェックする（図８のステップＳ３−４）。本実施形態では、ＥＰＧデータベースには、図４に示すように、２００１年２月１日から２００１年２月９日までのＥＰＧデータが格納されている。よって、放送日の項目データ４−１とカレンダー時計１−１６から読み出した日付データとを比較することにより、表示有効期限をチェックすることができる。
【００５７】
例えば、カレンダー時計１−１６から読み出された日付データが「２００１年２月１０日」であった場合には、ＥＰＧデータの表示有効期限が過ぎていると判断して、ＥＰＧ未取得であることを表示し（図８のステップＳ３−１２）、ＥＰＧ表示処理を終了する。
【００５８】
一方、カレンダー時計１−１６から読み出された日付データが「２００１年２月１日」であった場合には、ＥＰＧデータの表示有効期限内であるため、図８のステップＳ３−５に進む。そして、図４に示すＥＰＧデータベースから表示を行いたい日付のデータを検索し、その日付のＥＰＧデータ４−２を得る。
【００５９】
続いて、二次記憶手段１−１０からチャンネル設定データ１−１５を読み出し、表示する放送局の情報として図３に示すようなチャンネル設定データを得る（図８のステップＳ３−７）。
【００６０】
本実施形態において、最初に取り出されるチャンネル番号情報は、「未設定」３−１というデータであり、表示するデータが無いため、図８のステップＳ３−７からステップＳ３−６に戻る。
【００６１】
続いて取り出されるチャンネル番号情報は「２」３−３というデータであり、チャンネル設定されていることが分かる。さらに、図３に示すチャンネル設定データによれば、この「２」チャンネルに割り当てられている放送局名は「ＮＨＫ総合（大阪）」３−７であり、これは図４に示すＥＰＧデータベースにおける放送局名の項目のうち、「ＮＨＫ総合（大阪）」４−３と一致している。そこで、そのチャンネルの受信状態を図３に示すチャンネル設定データによりチェックすると（図８のステップＳ３−８）、「受信ＯＫ」３−４というデータになっているため、図１１のＥＰＧ表示データにおいて、図４のＥＰＧデータ４−４に対応する番組表示アイコンボタン１１−１を表示する（図８のステップＳ３−９）。
【００６２】
同一放送日のＥＰＧデータ内に、続く放送局のデータがある場合には、図８のステップＳ３−１０からステップＳ３−６に戻り、同様に処理を進める。
【００６３】
図８のステップＳ３−６において、図３に示すチャンネル番号「１９」のデータ３−５が読み出された場合、このチャンネルの受信状態は「受信ＮＧ」３−６であるので、図８のステップＳ３−８からステップＳ３−１１に進み、図１１のＥＰＧ表示データにおいて、図４のＥＰＧデータ４−５に対応する番組表示アイコンボタン１１−２はマスク表示する。なお、「受信ＮＧ」のチャンネルが表示されないように、ステップＳ３−８からステップＳ３−１０に進むようにしてもよい。
【００６４】
図８のステップＳ３−１からステップＳ３−１２までの処理を、図３のチャンネル設定データ中、最後のデータ３−７まで繰り返すと、全ての処理を終了する。
【００６５】
以上の処理により、受信可能なチャンネルの番組表と受信不能なチャンネルの番組表とを区別して表示することができる。
【００６６】
（実施形態２）
ＥＰＧデータを利用した録画指定が可能な情報処理装置においては、録画指定の手段として、チャンネル番号および録画開始／終了日時を操作者が直接指定する方法と、表示画面上にアイコンボタンに対応して表示されている番組をアイコンボタンをクリックすることにより選択して簡単に録画指定を行うことができる、ＧＵＩを用いる方法とがある。アイコンボタンによる録画指定方法では、録画したい番組の日時のデータを表示するように画面を切り換えて、希望する番組に対応つけられたアイコンボタンをクリックすると、自動的に録画予約情報がセットされる。
【００６７】
しかし、ＥＰＧデータ表示画面に表示されているチャンネルの番組は、受信エリア内であっても、テレビジョン電波中継局と情報処理装置との位置関係等の地理的な要因や、様々な電波受信環境等により、全てのチャンネルの電波を受信できるとは限らず、誤って受信不能なチャンネルを録画してしまうおそれがあった。
【００６８】
そこで、本実施形態では、受信できないチャンネルの番組が録画指定された場合に、操作者に通知するようになっている。
【００６９】
以下に、本実施形態の情報処理装置における各部の動作について、図９のフローチャートを用いて詳細に説明する。
【００７０】
実施形態１において説明した図８のステップＳ３−１からステップＳ３−１２）により、図１１に示すＥＰＧデータ表示画面が表示されると（図９のステップＳ４−１）、アイコンボタンの指定による録画予約操作を行うことができる（図９のステップＳ４−２）。図１１に示すＥＰＧデータ表示画面において、個々のアイコンボタンは、図４に示すＥＰＧデータベース中の対応するデータに関連付けられて表示されている。
【００７１】
操作者が録画したい番組に対応つけられたアイコンボタンを選択すると（図９のステップＳ４−２）、選択されたアイコンボタンに応じて、図３に示すチャンネル設定データから受信状態が読み出され、指定されたチャンネルが受信可能であるか否かのチェックを行う（図９のステップＳ４−３）。
【００７２】
本実施形態において、図１１のＥＰＧデータ表示画面により「名曲鑑賞」１１−３が選択された場合、アイコンボタンが配置されているチャンネルは「２」チャンネルである１１−４である。よって、アイコンボタンに対応する情報として、図３のチャンネル設定データから「２」チャンネルの受信状態「受信ＯＫ」３−４が読み出され、指定のチャンネルが受信可能なチャンネルであると判断される。
【００７３】
録画指定がアイコンボタンにより行われた場合には、図９のステップＳ４−４からステップＳ４−５に進み、図４に示すＥＰＧデータベースから、録画指定したアイコンボタン「名曲鑑賞」１１−３に関連付けられた番組情報４−６を読み出す。そして、二次記憶手段１−１０に図５に示す録画予約データ中のデータ５−１を登録し、操作入力待ち状態（図９のステップＳ４−２）に戻る。
【００７４】
同様の処理において、図１１のＥＰＧデータ表示画面により「Ｍボイス」１１−５が選択された場合、アイコンボタンが配置されているチャンネルは「１９」チャンネルである１１−６である。よって、アイコンボタンに対応する情報として、図３のチャンネル設定データから「１９」チャンネルの受信状態「受信ＮＧ」３−６が読み出され、指定のチャンネルが受信不能なチャンネルであると判断される。
【００７５】
このような録画予約が行われた場合、図９のステップＳ４−３からステップＳ４−７に進み、「録画不可」を操作者に通知するメッセージが、表示画面上に表示される。
【００７６】
以上の処理により、受信できないチャンネルの番組が録画予約されることが防止される。
【００７７】
さらに、図９のステップＳ４−２において、操作者がチャンネル番号および録画開始／終了日時を直接指定した場合には、ステップＳ４−４からステップＳ４−６に進み、図５に示す録画予約データに入力された録画予約情報を二次記憶手段１−１０に格納することになる。
【００７８】
この場合にも、入力されたチャンネル番号（図９のステップＳ４−２）をチャンネル設定データと照合する（図９のステップＳ４−３）ことにより、受信できないチャンネルの番組が録画予約されることが防止される。
【００７９】
なお、上記実施形態では、「受信ＮＧ」のチャンネルが選択された場合に「録画不可」を操作者に通知しているが、「受信ＯＫ」のチャンネルが選択された場合に「録画可能」を操作者に通知することも可能である。
【００８０】
【発明の効果】
以上詳述したように、本発明によれば、テレビジョン放送受信機能を有する情報処理装置において、受信可能なチャンネルと受信できないチャンネルを自動的に検出し、その結果をＥＰＧ表示画面に反映させて受信可能なチャンネルの番組と受信不能なチャンネルの番組とを区別して表示することができる。
【００８１】
さらに、本発明によれば、ＥＰＧデータを利用して録画指定を行うことが可能な情報処理装置において、番組に対応付けられたアイコンボタンを選択する録画指定方法、または操作者が直接チャンネルおよび録画開始／終了日時を指定する録画指定方法により、操作者に対して録画指定されたチャンネルが受信可能であるか受信不能であるかを通知して、誤って受信不能なチャンネルの録画指定を行わないようにすることができる。
【図面の簡単な説明】
【図１】本発明の一実施形態であるテレビジョン受信機能を有する情報処理装置の構成を説明するためのブロック図である。
【図２】実施形態のテレビジョン受信機能を有する情報処理装置におけるエリア別チャンネル設定データの構成例を示す図である。
【図３】実施形態のテレビジョン受信機能を有する情報処理装置におけるチャンネル設定データの構成例を示す図である。
【図４】実施形態のテレビジョン受信機能を有する情報処理装置におけるＥＰＧデータベースの構成例を示す図である。
【図５】実施形態のテレビジョン受信機能を有する情報処理装置における録画予約データの構成例を示す図である。
【図６】実施形態のテレビジョン受信機能を有する情報処理装置において、チャンネル毎の受信状態を取得する処理を説明するためのフローチャートである。
【図７】実施形態のテレビジョン受信機能を有する情報処理装置において、ＥＰＧデータベースを作成する処理を説明するためのフローチャートである。
【図８】実施形態のテレビジョン受信機能を有する情報処理装置において、ＥＰＧデータを表示する処理を説明するためのフローチャートである。
【図９】実施形態のテレビジョン受信機能を有する情報処理装置において、録画指定を行う処理を説明するためのフローチャートである。
【図１０】（ａ）および（ｂ）は実施形態のテレビジョン受信機能を有する情報処理装置における受信エリア選択画面の一例を示す図である。
【図１１】実施形態のテレビジョン受信機能を有する情報処理装置におけるＥＰＧ表示画面の一例を示す図である。
【符号の説明】
１−１  テレビジョン信号受信手段
１−２  データ放送受信手段
１−３  テレビジョン制御手段
１−４  録画／再生手段
１−５  信号レベル検出手段
１−６  音声出力手段
１−７  表示手段
１−８  入力手段
１−９  メモリ
１−１０  二次記憶手段
１−１１  エリア別チャンネル設定データ
１−１２  ＥＰＧデータベース
１−１３  録画予約データ
１−１４  録画データ
１−１５  チャンネル設定データ
１−１６  カレンダー時計
１−１７  通信手段
１−１８  外部記憶媒体読み取り手段
１−１９  制御手段
１−２０  情報処理装置
１−２１  外部記憶媒体
２−１  エリア別チャンネル設定データに格納されるデータの例
３−１〜３−８  チャンネル設定データに格納されるデータの例
４−１〜４−６  ＥＰＧデータベースに格納されるデータの例
５−１  録画予約データに格納されるデータの例
１０−１  受信エリア選択画面に表示される受信エリアの例
１０−２  受信エリア選択画面に表示されるチャンネルエリア一覧の例
１１−１、１１−２  ＥＰＧデータ表示画面に表示されるアイコンボタンの例
１１−３、１１−５  ＥＰＧデータ表示画面において選択される録画番組の例
１１−４、１１−６  ＥＰＧデータ表示画面において録画指定されるチャンネルの例
【図１】
0004553228.tif 000002
【図２】
0004553228.tif 000003
【図３】
0004553228.tif 000004
【図４】
0004553228.tif 000005
【図５】
0004553228.tif 000006
【図６】
0004553228.tif 000007
【図７】
0004553228.tif 000008
【図８】
0004553228.tif 000009
【図９】
0004553228.tif 000010
【図１０】
0004553228.tif 000011
【図１１】
0004553228.tif 000012